(57)【要約】      （修正有）【課題】いろいろな機能を具備し、構造が簡単であり、操作の利便性がよく、効率が高い頭部装着式眼部美容装置を提供する。【解決手段】頭部装着式眼部美容装置は、アイシェード型ケース、制御モジュール２０、冷却加熱モジュールおよび頭部装着ベルト４０を含む。制御モジュール２０はアイシェード型ケース内に設けられ、制御モジュール２０にはＥＭＳ微小電流出力回路が設けられる。冷却加熱モジュールはアイシェード型ケース内に設けられかつ制御モジュール２０に電気接続される。頭部装着ベルト４０の両端はアイシェード型ケースの両側に固定され、頭部装着ベルト４０は長さ調節部４１を含み、長さ調節部４１は頭部装着ベルト４０の移動を調節することにより頭部装着ベルト４０の長さを調節する。【選択図】図１
0003231431.tif 000002
【実用新案登録請求の範囲】
【請求項１】
アイシェード型ケース（１０）、制御モジュール（２０）、冷却加熱モジュール（３０）および頭部装着ベルト（４０）を含み、
前記制御モジュール（２０）は前記アイシェード型ケース（１０）内に設けられ、前記制御モジュール（２０）にはＥＭＳ微小電流出力回路が設けられ、
前記冷却加熱モジュール（３０）は前記アイシェード型ケース（１０）内に設けられかつ前記制御モジュール（２０）に電気接続され、
前記頭部装着ベルト（４０）の両端は前記アイシェード型ケース（１０）の両側に固定され、前記頭部装着ベルト（４０）は長さ調節部（４１）を含み、前記長さ調節部（４１）は前記頭部装着ベルト（４０）の移動を調節することにより前記頭部装着ベルト（４０）の長さを調節することを特徴とする頭部装着式眼部美容装置。
【請求項２】
前記アイシェード型ケース（１０）はその上に対称に形成されている２個の観察孔（１０１）を含むことを特徴とする請求項１に記載の頭部装着式眼部美容装置。
【請求項３】
前記アイシェード型ケース（１０）は前部ケース（１１）とその前部ケース（１１）と対向すうるように前記前部ケース（１１）に結合される後部ケース（１２）を含み、
前記前部ケース（１１）は前記第一曲面（１１１）とその第一曲面（１１１）の周辺から前記後部ケース（１２）に向かう方向に延伸する第一側壁部（１１２）を含み、前記第一曲面（１１１）はその上に対称状態に形成されている２個の第一観察孔（１１１１）を含み、前記第一観察孔（１１１１）の周囲には前記後部ケース（１２）に向かう方向に延伸する第一孔壁部（１１３）が形成され、前記第一側壁部（１１２）、前記第一曲面（１１１）および前記第一孔壁部（１１３）により第一収納空間（１１４）が形成され、
前記後部ケース（１２）は第二曲面（１２１）とその第二曲面（１２１）の周囲から前記前部ケース（１１）に向かう方向に延伸している第二側壁部（１２２）を含み、前記第二曲面（１２１）はその上に対称に形成されている２個の第二観察孔（１２１１）を含み、前記第二観察孔（１２１１）の周囲には前記前部ケース（１１）に向かう方向に延伸している第二孔壁部（１２３）が形成され、前記第二側壁部（１２２）、前記第二曲面（１２１）および前記第二孔壁部（１２３）により第二収納空間（１２４）が形成され、
前記第一側壁部（１１２）と前記第二側壁部（１２２）が当接することにより前記前部ケース（１１）と後部ケース（１２）を結合させるとともに前記アイシェード型ケース（１０）を構成し、前記第一孔壁部（１１３）と前記第二孔壁部（１２３）が当接することにより前記第一観察孔（１１１１）と前記第二観察孔（１２１１）を連通させる前記観察孔（１０１）を形成することを特徴とする請求項２に記載の頭部装着式眼部美容装置。
【請求項４】
前記アイシェード型ケース（１０）は前記２個の観察孔（１０１）と対応するように取り付けられる観察用レンズ（１３）を更に含み、前記観察用レンズ（１３）は前記後部ケース（１２）から離れている前記第一曲面（１１１）の一側に取り付けられることを特徴とする請求項３に記載の頭部装着式眼部美容装置。
【請求項５】
前記第二曲面（１２１）は前記第二観察孔（１２１１）の上下方向の両側にそれぞれ位置している下眼部区域（１０２）と上眼部区域（１０３）を含み、前記下眼部区域（１０２）は冷却加熱区域（１０２１）と微小電流区域（１０２２）を含み、前記微小電流区域（１０２２）は前記冷却加熱区域（１０２１）に包囲されかつ前記微小電流出力回路に接続されることを特徴とする請求項３に記載の頭部装着式眼部美容装置。
【請求項６】
前記冷却加熱モジュール（３０）は第一冷却加熱モジュール（３１）と第二冷却加熱モジュール（３２）を含み、それらはいずれも前記制御モジュール（２０）に電気接続され、
前記第一冷却加熱モジュール（３１）は前記第二収納空間（１２４）内に位置しかつ前記上眼部区域（１０３）と対応するように設けられ、
前記第二冷却加熱モジュール（３２）は前記第二収納空間（１２４）内に位置しかつ前記冷却加熱区域（１０２１）と対応するように設けられることを特徴とする請求項５に記載の頭部装着式眼部美容装置。
【請求項７】
前記第二冷却加熱モジュール（３２）は、前記第二曲面（１２１）に近づくように設けられる導熱金属部品（３２１）と、前記制御モジュール（２０）に接続されかつ前記導熱金属部品（３２１）の前記第二曲面（１２１）から離れている一側に当接する冷却／加熱部（３２２）と、前記冷却／加熱部（３２２）の前記導熱金属部品（３２１）から離れている一側に当接する放熱部（３２３）とを含むことを特徴とする請求項６に記載の頭部装着式眼部美容装置。
【請求項８】
前記第一冷却加熱モジュール（３１）は発熱膜と温度センサーを含み、前記発熱膜と前記温度センサーはいずれも前記制御モジュール（２０）に電気接続されることを特徴とする請求項７に記載の頭部装着式眼部美容装置。
【請求項９】
前記頭部装着式眼部美容装置は充電式バッテリー（５０）を更に含み、前記充電式バッテリー（５０）は、前記制御モジュール（２０）に接続され、前記第一収納空間（１１４）内に取り付けられるとともに前記２個の第一観察孔（１１１１）の間に位置することを特徴とする請求項３に記載の頭部装着式眼部美容装置。
【請求項１０】
前記頭部装着式眼部美容装置は無線制御装置を更に含み、その無線制御装置は前記制御モジュール（２０）に接続されることを特徴とする請求項２に記載の頭部装着式眼部美容装置。
【考案の詳細な説明】
【技術分野】
【０００１】
この考案は、医療美容装置の分野に属し、特に、頭部装着式眼部美容装置に関するものである。
【背景技術】
【０００２】
人々の生活の品質が向上することに伴い、人々は眼部の保養を重んじている。眼部をより美しくし、眼部の老衰を抑制するため、現在の人々は眼部美容装置をよく使用している。現在販売されている眼部美容装置は多数が携帯型眼部美容装置である。そのような眼部美容装置の携帯性を確保するため、眼部美容装置の堆積を小さいする必要があるが、それにより眼部美容装置の機能と効果に影響を与えるおそれがある。従来の眼部美容装置は、構造が簡単であるが、使用者が選択できる機能が少ないという欠点を有している。１つの頭部を具備する従来の携帯型眼部美容装置により一種の美容しかすることができず、複数の機能を具備している携帯型眼部美容装置を使用するとき、携帯型眼部美容装置の頭部を取り換えることによりいろいろな機能を獲得することができるが、それにより携帯性と使用性の利便性が悪くなり、使用の範囲が狭くなるおそれがある。また、美容装置を使用するとき、それを一定の時間使用しなければ所定の美容の効果を獲得することができない。携帯型眼部美容装置を使用するとき、使用者が携帯型眼部美容装置を常に持つ必要があるので、携帯型眼部美容装置を長く使用する場合、手の疲労をもたらすおそれがある。また、従来の美容装置の体積が小さく、美容装置の頭部の面積も小さいので、局部の美容をすることができるが、眼部全体の美容の効果が低下するおそれがある。
【０００３】
そのため、従来の技術の問題を解決することができる頭部装着式眼部美容装置を提供する必要がある。
【考案の概要】
【考案が解決しようとする課題】
【０００４】
この考案の目的は、従来の技術の問題を解決することができる頭部装着式眼部美容装置を提供することにある。この考案の頭部装着式眼部美容装置は、構造が簡単であり、操作の利便性がよく、機能が多く、効率が高いという特徴を有している。
【課題を解決するための手段】
【０００５】
具体的に、この考案の実施例に係る頭部装着式眼部美容装置は、アイシェード型ケース、制御モジュール、冷却加熱モジュールおよび頭部装着ベルトを含み、
前記制御モジュールは前記アイシェード型ケース内に設けられ、前記制御モジュールにはＥＭＳ微小電流出力回路が設けられ、
前記冷却加熱モジュールは前記アイシェード型ケース内に設けられかつ前記制御モジュールに電気接続され、
前記頭部装着ベルトの両端は前記アイシェード型ケースの両側に固定され、前記頭部装着ベルトは長さ調節部を含み、前記長さ調節部は前記頭部装着ベルトの移動を調節することにより前記頭部装着ベルトの長さを調節する。
【０００６】
この考案の実施例において、前記アイシェード型ケースはその上に対称に形成されている２個の観察孔を含む。
【０００７】
この考案の実施例において、前記アイシェード型ケースは前部ケースとその前部ケースと対向すうるように前記前部ケースに結合される後部ケースを含み、
前記前部ケースは前記第一曲面とその第一曲面の周辺から前記後部ケースに向かう方向に延伸する第一側壁部を含み、前記第一曲面はその上に対称状態に形成されている２個の第一観察孔を含み、前記第一観察孔の周囲には前記後部ケースに向かう方向に延伸する第一孔壁部が形成され、前記第一側壁部、前記第一曲面および前記第一孔壁部により第一収納空間が形成され、
前記後部ケースは第二曲面とその第二曲面の周囲から前記前部ケースに向かう方向に延伸している第二側壁部を含み、前記第二曲面はその上に対称に形成されている２個の第二観察孔を含み、前記第二観察孔の周囲には前記前部ケースに向かう方向に延伸している第二孔壁部が形成され、前記第二側壁部、前記第二曲面および前記第二孔壁部により第二収納空間が形成され、
前記第一側壁部と前記第二側壁部が当接することにより前記前部ケースと後部ケースを結合させるとともに前記アイシェード型ケースを構成し、前記第一孔壁部と前記第二孔壁部が当接することにより前記第一観察孔と前記第二観察孔を連通させる前記観察孔を形成する。
【０００８】
この考案の実施例において、前記アイシェード型ケースは前記２個の観察孔と対応するように取り付けられる観察用レンズを更に含み、前記観察用レンズは前記後部ケースから離れている前記第一曲面の一側に取り付けられる。
【０００９】
この考案の実施例において、前記第二曲面は前記第二観察孔の上下方向の両側にそれぞれ位置している下眼部区域と上眼部区域を含み、前記下眼部区域は冷却加熱区域と微小電流区域を含み、前記微小電流区域は前記冷却加熱区域に包囲されかつ前記微小電流出力回路に接続される。
【００１０】
この考案の実施例において、前記冷却加熱モジュールは第一冷却加熱モジュールと第二冷却加熱モジュールを含み、それらはいずれも前記制御モジュールに電気接続され、
前記第一冷却加熱モジュールは前記第二収納空間内に位置しかつ前記上眼部区域と対応するように設けられ、
前記第二冷却加熱モジュールは前記第二収納空間内に位置しかつ前記冷却加熱区域と対応するように設けられる。
【００１１】
この考案の実施例において、前記第二冷却加熱モジュールは、前記第二曲面に近づくように設けられる導熱金属部品と、前記制御モジュールに接続されかつ前記導熱金属部品の前記第二曲面から離れている一側に当接する冷却／加熱部と、前記冷却／加熱部の前記導熱金属部品から離れている一側に当接する放熱部とを含む。
【００１２】
この考案の実施例において、前記第一冷却加熱モジュールは発熱膜と温度センサーを含み、前記発熱膜と前記温度センサーはいずれも前記制御モジュールに電気接続される。
【００１３】
この考案の実施例において、前記頭部装着式眼部美容装置は充電式バッテリーを更に含み、前記充電式バッテリーは、前記制御モジュールに接続され、前記第一収納空間内に取り付けられるとともに前記２個の第一観察孔の間に位置する。
【００１４】
この考案の実施例において、前記頭部装着式眼部美容装置は無線制御装置を更に含み、その無線制御装置は前記制御モジュールに接続される。
【考案の効果】
【００１５】
この考案の実施例に係る頭部装着式眼部美容装置により下記考案の効果を獲得することができる。
（１）アイシェード型ケースと頭部装着ベルトとを含むことにより頭部装着式眼部美容装置を容易に装着し、使用者が手で携帯型眼部美容装置を持つことを省くことができる。
（２）この考案の携帯型眼部美容装置は、冷却、加熱およびＥＭＳ微小電流等のいろいろな機能を具備しているので、所定の機能を選択し、実用性を向上させることができる。
（３）この考案の携帯型眼部美容装置に観察孔が形成されていることにより、使用者が眼部の美容をするとき、使用者の眼部を遮る必要がないので、使用者の体験と安全感を向上させることができる。
（４）冷却／加熱部を採用することにより冷却機能と加熱機能を自由に変換させ、冷却構造と加熱構造を構成する材料と冷却構造と加熱構造を取り付ける空間を低減し、構造を簡単にすることができる。
（５）この考案の携帯型眼部美容装置は充電機能と無線制御機能を有しているので、使用者の移動を制限せず、使用の利便性を向上させることができる。
【図面の簡単な説明】
【００１６】
この考案の実施例に係る技術的事項をより詳細に説明するため、以下、この考案の実施例に係る図面を簡単に説明する。注意されたいことは、下記図面はこの考案の例示にしか過ぎないものであるため、この技術分野の技術者は創造的な研究をしなくても下記図面により他の図面を想到することができる。
【図１】この考案の実施例に係る頭部装着式眼部美容装置を示す分解図である。
【図２】この考案の実施例に係る頭部装着式眼部美容装置の全体構造を示す斜視図である。
【図３】この考案の実施例に係る頭部装着式眼部美容装置の後部ケースを示す側面図である。
【図４】この考案の実施例に係る頭部装着式眼部美容装置の前部ケースの構造を示す斜視図である。
【図５】この考案の実施例に係る頭部装着式眼部美容装置の第二曲面が含まれる区域を示す図である。
【考案を実施するための形態】
【００１７】
以下、この考案の実施例に係る図面によりこの考案の実施例に係る技術的事項をより詳細に説明する。下記実施例はこの考案の例示にしか過ぎないものであり、この考案のすべての実施例を意味するものでない。この考案の実施例を参照する場合、この技術分野の技術者は創造的な研究をしなくても下記実施例により他の実施例を想到することができ、それらがあってもこの考案の実用新案登録請求の範囲に含まれることは勿論である。
【００１８】
注意されたいことは、この考案において用いる方向性用語（例えば上、下、左、右、前、後……）は所定の状態（例えば図面に示される状態）になっている各部品の間の相対的な位置、移動の状況等を示すものであり、前記所定の状態が変化するとき、前記方向性用語もそれと共に変化することができる。
【００１９】
この考案において用いる「第一」、「第二」という用語は、この考案の重要性を明示または暗示するか或いは技術的特徴の数量を暗示するものでない。「第一」、「第二」という用語がついている特徴は１個または複数個の前記特徴が含まれていることを明示または暗示する。この考案の実施例において、特別な説明がない場合、「複数」という用語は２個または２個以上の事項が含まれていることを意味する。
【００２０】
注意されたいことは、この考案の明細書において、特別な説明がない場合、「設置」、「装着」、「接続」、「連結」という用語の意味を広義に理解する必要がある。そのような用語は、移動不可能に連結されること、着脱可能に連結されること、一体に連結されること、機械的に連結されること、電気的に連結されること、直接に連結されること、中央部品により間接的に連結されること、２つの部品の内部が連通状態に連結されることを意味することができる。この技術分野の技術者は具体的に状況により前記用語の意味を適当に理解することができる。
【００２１】
以下、図面によりこの考案の実施例をより詳細に説明する。この考案の各実施例を組み合わせても矛盾が生じない場合、下記実施例または各実施例中の特徴を任意に組み合わせることができる。
【００２２】
図１ないし図４に示すとおり、この考案の実施例に係る頭部装着式眼部美容装置は、アイシェード型ケース１０と、アイシェード型ケース１０内に設けられる制御モジュール２０と、冷却加熱モジュール３０と、頭部装着式眼部美容装置を使用者の頭部に装着するための頭部装着ベルト４０とを含む。
【００２３】
アイシェード型ケース１０は使用者の眼部の形状に適合する形状を有しているので、頭部装着式眼部美容装置を装着するとき、アイシェード型ケース１０の外部分の区域を眼部の皮膚に当接させることができる。それにより従来の携帯型眼部美容装置の美容の有効区域が小さい問題を解決し、美容の効率を向上させることができる。アイシェード型ケース１０上には複数の機能選択ボタンが更に設けられ、機能選択ボタンは制御モジュール２０に接続されている。使用者はボタンをクリックすることにより所定の機能を選択することができる。好ましくは、ボタンの上表面とアイシェード型ケース１０の外表面は平坦に連結される。その場合、使用者が頭部装着式眼部美容装置を逆においても、ボタンがクリックされることを避けることができる。アイシェード型ケース１０上にはＬＥＤ表示ランプが更に設けられ、ＬＥＤ表示ランプは制御モジュール２０に接続されている。ＬＥＤ表示ランプにより前記頭部装着式眼部美容装置の充電状態等を把握することができる。
【００２４】
制御モジュール２０にはＥＭＳ微小電流出力回路が設けられている。制御モジュール２０は例えばシングルチップマイクロコンピュータ（Ｓｉｎｇｌｅ−Ｃｈｉｐ  Ｍｉｃｒｏｃｏｍｐｕｔｅｒ）を更に含むことによりＥＭＳ微小電流出力回路がＥＭＳ微小電流を出力することを制御する。具体的に、Ｃプログラミング言語で作成したプログラムをシングルチップマイクロコンピュータにインストールし、シングルチップマイクロコンピュータの三極管の電圧を増加させた後、シングルチップマイクロコンピュータのＰＷＭでＨブリッジ放電回路を制御することによりＥＭＳ微小電流を出力する。制御モジュール２０上にはブザーが更に設けられ、ブザーは前記頭部装着式眼部美容装置の作動状態をフィードバックすることができる。例えば美容が終わるとき、ブザーが音を出力することにより美容が終わることを使用者に知らせ、使用者が頭部装着式眼部美容装置を取り外すようにすることができる。また、使用者がボタンをクリックするとき、ブザーが他の音を出力することにより使用者が頭部装着式眼部美容装置を取り外さなくても頭部装着式眼部美容装置の所定の機能が選択されることを容易に把握することができる。
【００２５】
冷却加熱モジュール３０は制御モジュール２０に電気接続され、制御モジュール２０上の例えばシングルチップマイクロコンピュータにより冷却加熱モジュール３０の冷却と加熱を制御することができる。
【００２６】
頭部装着ベルト４０の両端はアイシェード型ケース１０の両側に固定され、頭部装着ベルト４０上には長さ調節部４１が更に取り付けられている。長さ調節部４１は頭部装着ベルト４０の移動を調節することにより頭部装着ベルト４０の長さを調節する。それにより使用者に適合する長さを獲得し、頭部装着ベルト４０の長さを適当に調節することができる。長さ調節部４１として例えば日型調節部を採用し、長さ調節部４１が頭部装着ベルト４０上で滑動することにより頭部装着ベルト４０の長さを長くするか或いは短くすることができる。長さ調節部４１としてバックルを採用することもできる。その場合、頭部装着ベルト４０上には貫通孔が形成され、バックルを頭部装着ベルト４０のいろいろな貫通孔に結合させることにより頭部装着ベルト４０の長さを長くするか或いは短くすることができる。以上、前記長さ調節部４１の常用形態を例として説明してきたが、頭部装着ベルト４０の長さを調節することができる他の長さ調節部４１を採用することもでき、この考案はそれを限定しない。頭部装着ベルト４０の材料として弾性材料を使用し、頭部装着ベルト４０の弾性によりアイシェード型ケース１０を使用者の眼部に当接させることもできる。弾性材料の頭部装着ベルト４０は、構造が簡単であり、操作の利便性がよいという利点を有している。この考案は頭部装着ベルト４０の具体的な材料を限定せず、皮質等の他の材料を用いることもできる。
【００２７】
この考案の実施例に係る頭部装着式眼部美容装置において、眼部の形状に適合するアイシェード型ケース１０を採用し、頭部装着ベルト４０の長さを調節することができるので、装着の効果を向上させ、美容の効率を向上させ、使用者が両手で頭部装着式眼部美容装置を持つことを省くことができる。したがって、使用の利便性がよく、携帯型眼部美容装置の美容区域が小さい問題を解決し、使用者が手で携帯型眼部美容装置を操作することを省くことができる。この考案の実施例に係る頭部装着式眼部美容装置は、冷却、加熱およびＥＭＳ微小電流という機能等を具備しているので、使用者の需要によりアイシェード型ケース１０上の所定のボタンをクリックすることにより所定の美容モードを選択し、従来の携帯型眼部美容装置の機能が少ないことによりいろいろな携帯型眼部美容装置を用意する必要があることを避けることができる。
【００２８】
この考案の実施例において、図２を参照すると、アイシェード型ケース１０はその上に対称状態に形成されている２個の観察孔１０１を含み、その２個の観察孔１０１は使用者の左右の二眼に対応する。前記頭部装着式眼部美容装置を使用者の頭部に装着させるとき、使用者は２個の観察孔１０１により外部の環境を見ることができる。例えば美容をしながらゲームをすることができるので、使用者の時間を節約し、使用者に安全感を与えることができる。
【００２９】
この考案の実施例において、アイシェード型ケース１０は前部ケース１１とそのケース１１と対向すうるようにケース１１に結合される後部ケース１２を含む。図４を参照すると、その図面は前部ケース１１の構造を示す図である。前部ケース１１は第一曲面１１１を含み、第一曲面１１１はその上に対称状態に形成されている２個の第一観察孔１１１１を含み、第一観察孔１１１１の周囲には後部ケース１２に向かう方向に延伸する第一孔壁部１１３が形成されている。前部ケース１１は第一曲面１１１の周辺から後部ケース１２に向かう方向に延伸する第一側壁部１１２を更に含み、第一側壁部１１２、第一曲面１１１および第一孔壁部１１３により第一収納空間１１４が形成される。
【００３０】
図１と図３を参照すると、その図面は後部ケース１２の構造を示す図である。後部ケース１２は第二曲面１２１を含み、第二曲面１２１は使用者の眼部の形状に適合する形状を有している。例えば使用者の鼻に対応する区域は前部ケース１１に向かう方向に窪むことにより、使用者が頭部装着式眼部美容装置を装着するとき、後部ケース１２が使用者の顔面によく当接することと使用者が順調な呼吸を確保することができる。また、使用者の眼部に対応する区域は前部ケース１１から離れる方向に突出することにより、使用者が頭部装着式眼部美容装置を装着するとき、後部ケース１２が使用者の眼部の周囲の皮膚によく当接することを確保することができる。第二曲面１２１はその上に対称に形成されている２個の第二観察孔１２１１を含み、第二観察孔１２１１の周囲には前部ケース１１に向かう方向に延伸している第二孔壁部１２３が形成され、後部ケース１２は第二曲面１２１の周囲から前部ケース１１に向かう方向に延伸している第二側壁部１２２を更に含み、第二側壁部１２２、第二曲面１２１および第二孔壁部１２３により第二収納空間１２４が形成される。
【００３１】
図１と図２を参照すると、第一側壁部１１２と第二側壁部１２２が当接することにより前部ケース１１と後部ケース１２を結合させかつアイシェード型ケース１０を構成し、第一孔壁部１１３と第二孔壁部１２３が当接することにより第一観察孔１１１１と第二観察孔１２１１を連通させかつアイシェード型ケース１０を貫通する２個の観察孔１０１を形成することができる。前部ケース１１と後部ケース１２は結合構造またはネジ等により一体に組み立てられることができるが、この考案は前部ケース１１と後部ケース１２を組み立てる方法を制限しない。前部ケース１１と後部ケース１２を組み立てると、アイシェード型ケース１０中の第一収納空間１１４と第二収納空間１２４は密閉される。注意されたいことは、第一収納空間１１４と第二収納空間１２４は完全に連通する状態になるか或いは一部分が連通する状態になることができ、この考案はそれを限定しない。
【００３２】
アイシェード型ケース１０は２個の観察孔１０１と対応するように取り付けられる観察用レンズ１３を更に含み、その観察用レンズ１３は後部ケース１２から離れている第一曲面１１１の一側に取り付けられる。観察用レンズ１３は例えば半透明レンズまたは透明レンズであることができる。観察用レンズ１３により汚染物が２個の観察孔１０１から使用者の目に入ることを防止することができる。また、観察用レンズ１３が半透明レンズである場合、光線の入射を確保するとともに外部の光線が使用者の目に損害を与えることを低減することができる。また、使用者の視力がよくなくてメガネを掛ける必要がある場合、観察用レンズ１３として使用者の視力に適合する近視レンズまたは遠視レンズ等を使用することができる。その場合、使用者が頭部装着式眼部美容装置を使用するとき、メガネを掛けなくても所定の視力を獲得することができるので、使用者の体験を向上させることができる。
【００３３】
この考案の実施例において、図５に示すとおり、第二曲面１２１は第二観察孔１２１１の上下方向の両側にそれぞれ位置している上眼部区域１０３と下眼部区域１０２を含み、下眼部区域１０２は冷却加熱区域１０２１と微小電流区域１０２２を含む。図５を参照すると、微小電流区域１０２２は、２個の第二観察孔１２１１の下方に位置し、かつ冷却加熱区域１０２１に包囲されている。微小電流区域１０２２は微小電流出力回路に接続されることにより微小電流を使用者の眼部の筋肉に出力することができる。具体的に、前記頭部装着式眼部美容装置は上眼部区域１０３は使用者の眼部の上区域に対応し、下眼部区域１０２は使用者の眼部の下区域に対応し、微小電流区域１０２２は使用者の眼部の下部の筋肉に対応する。頭部装着式眼部美容装置を使用するとき、眼部の上下の皮膚を加熱することにより皮膚の緩みを抑制し、ダークサークル（ｄａｒｋ  ｃｉｒｃｌｅｓ）と細かいしわを低減するという美容の効果を獲得し、冷却により皮膚の緩みを防止し、浮腫を減少させ、ＥＭＳ微小電流で眼部の筋肉を刺激することにより美容の効果を向上させることができる。上眼部区域１０３と下眼部区域１０２を柔軟性材料で製造することによりアイシェード型ケース１０を各使用者のいろいろな顔部と眼部に緊密に接触させ、美容が均等にされることを確保することができる。柔軟性材料として例えばシリコン材料等を用いることができるが、この考案はそれを限定しない。微小電流区域１０２２を導電材料で製造することによりＥＭＳ微小電流を眼部の筋肉に伝送することができる。導電材料として金属材料または導電シリコン等のような導電材料を用いることができるが、この考案はそれを限定しない。注意されたいことは、微小電流区域１０２２を構成する導電材料は低温／高温を伝達することができる材料であればいずれもよい。微小電流区域１０２２の位置と対応する眼部の皮膚は微小電流による刺激と冷却／加熱による美容の効果を獲得することができる。注意されたいことは、上眼部区域１０３と下眼部区域１０２だけでなく、第二曲面１２１は使用者の鼻等に適合する他の区域を更に含むことができる。他の区域の材料として例えば硬性ゴム等の材料を用いることにより使用者の鼻等を支持することができるが、この考案は他の区域の材料を制限しない。
【００３４】
この考案の実施例において、冷却加熱モジュール３０は第一冷却加熱モジュール３１と第二冷却加熱モジュール３２を含み、第一冷却加熱モジュール３１と第二冷却加熱モジュール３２はいずれも制御モジュール２０に電気接続される。第一冷却加熱モジュール３１は第二収納空間１２４内に位置しかつ上眼部区域１０３と対応するように設けられる。第二冷却加熱モジュール３２は第二収納空間１２４内に位置しかつ冷却加熱区域１０２１と対応するように設けられる。具体的に、眼部の各区域の皮膚の美容の需要が異なっているので、眼部の各区域に対応する頭部装着式眼部美容装置の各区域の機能をそれぞれ設定する必要がある。例えば、眼部の上部分の美容の目的が細かいしわを抑制することである場合、加熱による美容のみをし、眼部の下部分の美容の目的が細かいしわ、眼部の浮腫および眼部の下垂等を低減することである場合、加熱による美容だけでなく、冷却による美容をする必要もある。眼部の各区域に対応するいろいろな機能を獲得するため、第一冷却加熱モジュール３１は加熱のみをすることにより加熱モードを獲得し、第二冷却加熱モジュール３２は加熱と冷却をすることにより変換が可能な冷却モードと加熱モードを獲得することができる。冷却加熱モジュール３０の各機能は眼部の各区域に対応し、頭部装着式眼部美容装置はいろいろな機能を具備することにより、使用者のいろいろな需要を満たし、かつ装置の材料を節約するとともにコストを低減する効果を獲得することができる。以上、第一冷却加熱モジュール３１と第二冷却加熱モジュール３２の作動方法を説明してきたが、この考案はそれらの具体的な作動方法を制限しない。
【００３５】
この考案の実施例において、第一冷却加熱モジュール３１は発熱膜と温度センサーを含み、発熱膜と温度センサーはいずれも制御モジュール２０に電気接続される。前記発熱膜はＰＩ発熱膜であり、第二曲面１２１上の上眼部区域１０３と対応する位置に接着される。温度センサーとして例えばＮＴＣ温度センサーを用い、温度センサーを発熱膜に接近させることにより加熱温度を検出することができる。制御モジュール２０において、シングルチップマイクロコンピュータはＰＷＭでＭＯＳトランジスタを制御することによりＰＩ発熱膜の開閉と作動の時間を制御し、ＮＴＣ温度センサーでＰＩ発熱膜の温度を検出することにより第一冷却加熱モジュール３１の温度を一定の範囲にすることができる。後部ケース１２上の上眼部区域１０３と対応する位置に隔離板を設けることにより、発熱膜と制御モジュール２０を切断し、発熱膜が形成した熱量が制御モジュール２０上の電子部品等に影響を与えることを防止することができる。
【００３６】
この考案の実施例において、第二冷却加熱モジュール３２は、導熱金属部品３２１、冷却／加熱部３２２および放熱部３２３を含む。導熱金属部品３２１は第二曲面１２１に近づくように設けられ、冷却／加熱部３２２は制御モジュール２０に接続されかつ導熱金属部品３２１の第二曲面１２１から離れている一側に当接する。放熱部３２３は冷却／加熱部３２２の導熱金属部品３２１から離れている一側に当接する。導熱金属部品３２１の材料として具体的にアルミ合金を用いるか或いはカーサイト等のような導熱性がよい材料を用いることができる。冷却／加熱部３２２として具体的に現在の電子装置において常用する熱電冷却器（Ｔｈｅｒｍｏ  Ｅｌｅｃｔｒｉｃ  Ｃｏｏｌｅｒ）を採用することができる。熱電冷却器により冷却の効果を獲得することができ、かつ熱電冷却器に接続される電源の極性を変換させる場合、熱電冷却器により加熱をすることができる。放熱部３２３は現在の電子装置において常用する放熱部であるので、ここで再び説明しない。第二冷却加熱モジュール３２の作動原理は次のとおりである。制御モジュール２０上のシングルチップマイクロコンピュータによりＨブリッジ回路が冷却／加熱部３２２に電力を供給する電流の方向を変換させることにより、第二冷却加熱モジュール３２の加熱機能と冷却機能を自由に変換させることができる。冷却モードにおいて、冷却／加熱部３２２の導熱金属部品３２１に近づいている一面が迅速に冷却されるので、導熱金属部品３２１は低温を冷却加熱区域１０２１に伝達することにより眼部の下部の皮膚を冷却させることができる。冷却／加熱部３２２の導熱金属部品３２１に近づいている一面の温度が上昇する場合、導熱金属部品３２１は高温を冷却加熱区域１０２１に伝達することにより眼部の下部の皮膚を加熱することができる。
【００３７】
導熱金属部品３２１には微小電流出力回路が更に接続されることができる。導熱金属部品３２１が導電性を有していることにより、微小電流出力回路は前記実施例の微小電流区域１０２２は金属シートまたは導電シリコンに電気接続される。それにより温度と微小電流を伝導し、構造の最適化を獲得することができる。
【００３８】
この考案の実施例に係る頭部装着式眼部美容装置は充電式バッテリー５０を更に含む。充電式バッテリー５０は、制御モジュール２０に接続され、第一収納空間１１４内に取り付けられるとともに２個の第一観察孔１１１１の間に位置する。前部ケース１１上には充電式バッテリー５０に電気接続されるＭｉｃｒｏ  ＵＳＢ充電ポートまたはＴｙｐｅ−Ｃ充電ポート等が設けられているので、充電を容易にすることができる。充電式バッテリー５０が設けられることにより頭部装着式眼部美容装置の利便性を向上させることができる。例えば使用者が電車等の交通道具に乗るとき頭部装着式眼部美容装置を使用することができるので、時間を節約しかつ使用の利便性を向上させることができる。また、この考案の頭部装着式眼部美容装置には観察孔１０１が形成されており、その頭部装着式眼部美容装置は作動用電気線の長さの制限を受けない。したがって、使用者が頭部装着式眼部美容装置を使用するとき、運度等の他の仕事を一緒にすることができるので、頭部装着式眼部美容装置の利便性を向上させることができる。
【００３９】
この考案の実施例に係る頭部装着式眼部美容装置は無線制御装置を更に含み、その無線制御装置は制御モジュール２０に接続される。無線制御装置はブルートゥース型無線制御装置であるか或いは携帯電話等の端末にインストールされるリモコンＡＰＰ等であることができる。制御モジュール２０上に設けられる遠距離制御チップにより頭部装着式眼部美容装置を無線に制御することができ、かつ頭部装着式眼部美容装置に形成される観察孔１０１によりアイシェード型ケース１０上に設けられるボタンを容易に制御することができない問題を解決することができる。使用者が頭部装着式眼部美容装置を使用するとき、頭部装着式眼部美容装置を取り外さなくても、無線制御装置上のボタンをクリックすることにより所定の機能を選択することができるので、使用上の利便性を向上させることができる。
【００４０】
以下、この考案の具体的な実施例に係る頭部装着式眼部美容装置の作動の原理と使用の流れを簡単に説明する。
【００４１】
頭部装着式眼部美容装置を使用するとき、頭部装着式眼部美容装置を頭部装着ベルト４０により使用者の頭部に装着した後、頭部装着ベルト４０の長さを調節することによりアイシェード型ケース１０を使用者の眼部に当接させる。頭部装着式眼部美容装置を装着した後、アイシェード型ケース１０上のボタンをクリックするか或いは無線制御装置上のボタンをクリックすることにより所定の機能を選択するか或いは機能を切り替えることができる。
【００４２】
冷却機能
冷却機能を選択した後、制御モジュール２０により冷却／加熱部３２２の温度を制御することにより冷却／加熱部３２２の温度を８〜１０°下げ、導熱金属部品３２１は低温を冷却加熱区域１０２１に伝達する。その場合、シリコン等の柔軟性材料を眼部の皮膚に接触させることにより眼部の皮膚を冷却させ、皮膚の緩みを抑制し、皮膚の弾性を増加させ、眼部の浮腫を低減することができる。
【００４３】
加熱機能
加熱機能を選択した後、制御モジュール２０で冷却／加熱部３２２に電力を供給する電流の方向を変換させることにより加熱を実施し、導熱金属部品３２１は高温を冷却加熱区域１０２１に伝達する。制御モジュール２０は加熱膜の加熱を制御し、温度センサーは加熱の温度を随時に検出することにより加熱の温度を４０度左右に維持することができる。上眼部区域１０３を眼部の皮膚に接触させることにより眼部の皮膚を加熱し、それにより皮膚の緩みを防止し、ダークサークルと細かいしわを低減するという美容の効果を獲得することができる。
【００４４】
ＥＭＳ微小電流機能
微小電流機能を選択した後、制御モジュール２０でＥＭＳ微小電流の出力を制御し、微小電流区域１０２２の金属シートまたは導電シリコンがＥＭＳ微小電流を出力することにより眼部の皮膚を刺激することができる。その場合、ゲルを一緒に使用することによりアイリッドに対する美容の効果を向上させることができる。
【００４５】
また、観察孔１０１が形成されていることにより、使用者は美容をしながら他の仕事をすることができる。
【００４６】
この考案の実施例に係る頭部装着式眼部美容装置により下記考案の効果を獲得することができる。
（１）アイシェード型ケースと頭部装着ベルトとを含むことにより頭部装着式眼部美容装置を容易に装着し、使用者が手で携帯型眼部美容装置を持つことを省くことができる。
（２）この考案の携帯型眼部美容装置は、冷却、加熱およびＥＭＳ微小電流等のいろいろな機能を具備しているので、所定の機能を選択し、実用性を向上させることができる。
（３）この考案の携帯型眼部美容装置に観察孔が形成されていることにより、使用者が眼部の美容をするとき、使用者の眼部を遮る必要がないので、使用者の体験と安全感を向上させることができる。
（４）冷却／加熱部を採用することにより冷却機能と加熱機能を自由に変換させ、冷却構造と加熱構造を構成する材料と冷却構造と加熱構造を取り付ける空間を低減し、構造を簡単にすることができる。
（５）この考案の携帯型眼部美容装置は充電機能と無線制御機能を有しているので、使用者の移動を制限せず、使用の利便性を向上させることができる。
【００４７】
説明したいことは、前記実施例はこの考案の技術的事項を説明するものであるが、この考案を限定するものでない。前記実施例によりこの考案の技術的事項を詳細に説明してきたが、この技術分野の技術者は前記実施例に記載される技術的事項を修正するか或いは前記実施例に記載される一部分の技術的事項を代替することができる。この考案の要旨を逸脱しない範囲内において実施される前記修正または代替があってもそれらがこの考案の範囲に含まれることは勿論である。
【符号の説明】
【００４８】
１０  アイシェード型ケース、
１０１  観察孔、
１０２  下眼部区域、
１０２１  冷却加熱区域、
１０２２  微小電流区域、
１０３  上眼部区域、
１１  前部ケース、
１１１  第一曲面、
１１１１  第一観察孔、
１１２  第一側壁部、
１１３  第一孔壁部、
１１４  第一収納空間、
１２  後部ケース、
１２１  第二曲面、
１２１１  第二観察孔、
１２２  第二側壁部、
１２３  第二孔壁部、
１２４  第二収納空間、
１３  観察用レンズ、
２０  制御モジュール、
３０  冷却加熱モジュール、
３１  第一冷却加熱モジュール、
３２  第二冷却加熱モジュール、
３２１  導熱金属部品、
３２２  冷却／加熱部、
３２３  放熱部、
４０  頭部装着ベルト、
４１  長さ調節部、
５０  充電式バッテリー。
【図１】
0003231431.tif 000003
【図２】
0003231431.tif 000004
【図３】
0003231431.tif 000005
【図４】
0003231431.tif 000006
【図５】
0003231431.tif 000007